(57)【要約】本発明は、検査対象の磁気共鳴イメージングのために構成された磁石ユニット（２０）と、検査対象を照射するために構成された第１の放射ユニット（３０）とを含む医用イメージングシステムに関し、磁石ユニットは、主磁石と第１のハウジングとを含み、主磁石は、第１のハウジングの内側に配置され、主磁石は、コイル要素と、少なくとも１磁石ユニットはさらに、磁石ユニットが検査開口を囲むように、検査軸に沿って検査開口（９０）を画定する。磁石ユニットはさらに、検査軸に対して放射状に放射される第１の放射ユニットからの放射線に対して透過性である第１の領域を含む。第１の放射ユニットは、さらに、検査開口から離れて面する磁石ユニットの側面に配置され、検査開口の方向に磁石ユニットの第１の領域を通して放射線を放出するように構成される。第１の放射ユニットは、検査開口の周りを回転するようにさらに構成される。
2019535419.tif 000002
【特許請求の範囲】
【請求項１】
検査対象（８０）の磁気共鳴イメージングのために構成された磁石ユニット（２０）と、検査対象（８０）を照射するために構成された第１の放射ユニット（３０）と、を備える医用イメージングシステム（１０）であって、
前記磁石ユニット（２０）は主磁石（２１）と第１のハウジング（２６）を含み、前記主磁石（２１）は前記第１のハウジング（２６）の内側に配置され、前記主磁石（２１）はコイル要素（２１．１）と少なくとも１つのコイルキャリア（２１.２）とを含み、
前記磁石ユニット（２０）は、前記磁石ユニット（２０）が検査開口（９０）を囲むように、検査軸（９１）に沿って検査開口（９０）を画定し、
前記磁石ユニット（２０）は前記検査軸（９１）に対して半径方向に第１の放射ユニット（３０）によって放出される放射線（３２）に対して透過性である第１の領域を含み、
前記第１の放射ユニット（３０）は前記検査開口（９０）から離れて面する前記磁石ユニット（２０）の側面に配置され、
前記第１放射ユニット（３０）は、前記磁石ユニット（２０）の前記第１領域を通して前記検査開口（９０）の方向に前記放射線（３２）を放射するように構成され、
さらに前記第１の放射ユニット（３０）は前記検査開口（９０）の周りを回転するように構成される、医用イメージングシステム（１０）。
【請求項２】
前記主磁石（２１）の前記コイル要素（２１．１）および前記少なくとも１つのコイルキャリア（２１．２）は、前記磁石ユニット（２０）の前記第１の領域の外側に配置される、請求項１に記載の医用イメージングシステム（１０）。
【請求項３】
前記第１の領域において、前記磁石ユニット（２０）は、少なくとも１つの内部窓（２５．２）と、前記第１のハウジング（２６）内の少なくとも１つの外部窓（２５．１）とを備え、前記内部窓（２５．２）および前記外部窓（２５．１）は前記第１の放射ユニット（３０）によって放出される前記放射線（３２）に対して透過性である、請求項１に記載の医用イメージングシステム（１０）。
【請求項４】
前記第１の領域は、前記検査軸（９１）に対して半径方向に延びる前記磁石ユニット（２０）内の前記漏斗（２４）として形成され、前記検査軸に対して半径方向に前記第１の放射ユニット（３０）によって放出される前記放射線（３２）に対して透過性である、請求項１または２に記載の医用イメージングシステム（１０）。
【請求項５】
前記第１の放射ユニット（３０）は、粒子放射線（３２）を生成するように構成された粒子放射線源である、請求項１〜４のうちの１つに記載の医用イメージングシステム（１０）。
【請求項６】
前記第１の放射ユニット（３０）は粒子放射線（３２）またはガンマ放射線（３２）を生成するように構成された放射線源である、請求項１に記載の医用イメージングシステム（１０）。
【請求項７】
前記第１の放射ユニット（３０）は、第１のＸ線源（３０）であり、前記医用イメージングシステム（１０）は、さらに第１のＸ線検出器（３１）を含み、前記第１のＸ線検出器（３１）は、前記第１のＸ線源（３０）から離れた方の検査対象物（８０）の側面に配置され、前記第１のＸ線源（３０）および前記第１のＸ線検出器（３１）は、前記検査対象物（８０）のＸ線撮像のために構成される、請求項１〜３のいずれか１項に記載の医用イメージングシステム（１０）。
【請求項８】
前記第１のＸ線検出器（３１）は、前記第１のＸ線源（３０）と同時に前記検査開口（９０）の周りを回転するように構成される、請求項７に記載の医用イメージングシステム（１０）。
【請求項９】
前記磁石ユニット（２０）は、前記検査開口（９０）の周りを回転するように構成される、請求項１に記載の医用イメージングシステム（１０）。
【請求項１０】
前記磁石ユニット（２０）は勾配磁場コイルユニット（２２）を備え、前記勾配磁場コイルユニット（２２）の方向は、前記検査開口（９０）に対して相対的に固定され、前記主磁石（２１）は前記検査開口（９０）の周りを回転するように構成される、請求項１〜８のいずれか１項に記載の医用イメージングシステム（１０）。
【請求項１１】
前記第１の放射ユニット（３０）および前記主磁石（２１）は、前記検査開口（９０）の周りを同時に回転するように構成される、請求項９または１０に記載の医用イメージングシステム（１０）。
【請求項１２】
前記磁石ユニット（２０）は、熱伝導によって前記主磁石（２１）の前記コイル要素（２１．１）を冷却するように構成される、請求項１記載の医用イメージングシステム（１０）
【請求項１３】
前記主磁石（２１）の前記コイル要素（２１．１）からの廃熱は、循環する冷却剤を含むパイプによって放散される、請求項１２に記載の医用イメージングシステム（１０）。
【請求項１４】
前記主磁石（２１）の前記コイル要素（２１．１）は、臨界温度がヘリウムの沸点よりも高い、超伝導材料で形成される、請求項１〜３のいずれかに記載の医用イメージングシステム（１０）。
【請求項１５】
前記第２の放射ユニット（３３）をさらに含み、
前記磁石ユニット（２０）は、前記検査軸（９１）に対して半径方向に第２の放射ユニット（３３）によって放出される放射線（３５）に対して透過性である第２の領域を含み、
前記第２の放射ユニット（３３）は、前記磁石ユニット（２０）の前記検査開口（９０）とは反対側に配置され、
前記第２の放射ユニット（３３）は、前記検査開口（９０）の方向に前記磁石ユニット（２０）の前記第２の領域を介して前記放射線（３５）を放出するように構成され、
さらに、前記第２の放射ユニット（３３）は前記検査開口（９０）の周りを回転するように構成される、
請求項７〜１３のうちの１つに記載の医用イメージングシステム（１０）。
【請求項１６】
第２のＸ線検出器（３４）をさらに含み、
前記第２の放射ユニット（３３）は第２のＸ線源（３３）であり、
前記第２のＸ線検出器（３４）は、前記第２のＸ線源（３３）から離れて面する前記検査対象（８０）の側面に配置され、
前記第２のＸ線検出器（３４）は、前記第２のＸ線源（３３）と同時に前記検査開口（９０）の周りを回転するように構成され、
前記第２のＸ線源（３３）および前記第２のＸ線検出器（３４）は、前記検査対象（８０）のＸ線撮像のために構成される、
請求項１５に記載の医用イメージングシステム（１０）。
【請求項１７】
前記第１のＸ線源（３０）と前記第１のＸ線検出器（３１）との接続線と、前記第２のＸ線源（３３）と前記第２のＸ線検出器（３４）との接続線とが、６０°と１２０°との間、または８０°と１００°との間、または８５°と９５°との間の角度を囲む、請求項１６に記載の医用イメージングシステム（１０）。
【発明の詳細な説明】
【技術分野】
【０００１】
磁気共鳴イメージング（ＭＲＩ）は、特に高い軟組織コントラストを特徴とする画像化方法である。したがって、それは、特に、病変の診断および血管造影に使用することができる。
【背景技術】
【０００２】
そのような応用分野では、Ｘ線源または粒子放射線源などの放射ユニットを使用することがさらに知られている。この場合、粒子放射線は、特に、電子放射線またはハドロン放射線であり得る。これらの放射ユニットは、一方では、画像化のための適切な検出器と共に使用され、他方では、組織の操作のために使用され得る。
【０００３】
多くの医学診断用途において、ＭＲ撮像データと放射ユニットから得られた撮像データの両方を使用することが望ましい。粒子放射線による組織の操作の間、ＭＲ画像によって照射された組織の位置および他の特性を監視することがさらに望ましい。
【０００４】
ＭＲ装置によって、およびＭＲ装置とは別個の放射線装置によって、異なる時間にＭＲイメージングおよび照射を実行することが知られている。しかしながら、この場合、患者は、２つの複数の装置の間で輸送されなければならず、または再配置されなければならない。さらに、２つの処置の間の時間によって、患者の構造が、例えば、呼吸または代菌過程のために変化する可能性がある。これは、ＭＲ画像と照射との組合せを複雑にする。
【０００５】
米国特許出願公開第２０１５／０２４７９０７号明細書から、磁気共鳴スキャナの検査開口内でＸ線源およびＸ線検出器を動作させることが知られている。しかしながら、これは、Ｘ線源およびＸ線検出器の両方が強い磁場で動作するように設計されることを必要とする。
【０００６】
さらに、ＧＡＮＧＵＬＹ、Ａｒｕｎｄｈｕｔｉ ｅｔ ａｌ."ＴｒｕｌｙＨｙｂｒｉｄ Ｘ-Ｒａｙ/ＭＲ Ｉｍａｇｉｎｇ: Ｔｏｗａｒｄ ａ Ｓｔｒｅａｍｌｉｎｅｄ Ｃｌｉｎｉｃａｌ Ｓｙｓｔｅｍ"（ＡｃａｄｅｍｉｃＲａｄｉｏｌｏｇｙ (１２） ２００５、ｐａｇｅｓ １１６７ − １１７７)刊行物に、複数の磁石ユニットを含むＭＲ装置を使用し、ビーム経路が異なる磁石ユニットを通過するように放射ユニットを具体化することが記載されている。これは、放射ユニットがＭＲ装置の検査開口内の強い磁場の影響を受けることを引き起こさないが、複数の磁石ユニットは、検査開口内のＭＲイメージングに必要な均一な磁場を達成することを困難にする。
【０００７】
したがって、本発明の目的は、ＭＲイメージングと放射線への検査対象の露出とを同時に行うための効率的な可能性を提供することである。
【０００８】
この目的は、独立請求項に記載の医用イメージングシステムによって達成される。有利な実施形態は、従属請求項に記載されている。
【発明の概要】
【課題を解決するための手段】
【０００９】
本発明は、検査対象の磁気共鳴イメージングのために構成された磁石ユニットと、検査対象を照射するために構成された第１の放射ユニットとを含み、磁石ユニットが主磁石と第１のハウジングとを含み、主磁石が第１のハウジングの内側に配置され、主磁石がコイル要素と少なくとも１つのコイルキャリアとを含む医用イメージングシステムに関する。磁石ユニットはさらに、磁石ユニットが検査開口を囲むように、検査軸に沿って検査開口を画定する。
【００１０】
磁石ユニットは、さらに、検査軸に対して半径方向に第１の放射ユニットによって放出される放射線に対して透過性である第１の領域を含む。第１の放射ユニットは、さらに、検査開口から離れて面する磁石ユニットの側面に配置され、検査開口の方向に磁石ユニットの第１の領域を通して放射線を放出するように構成される。第１の放射ユニットは、検査開口の周りを回転するようにさらに構成される。
【００１１】
磁石ユニットの第１の領域は、特に、第１の放射ユニットからの放射線に対して透過性であり、その結果、検査軸に対して放射状に放出され、第１の領域を通過する第１の放射ユニットからの放射線の強度は、第１の領域を通過しない検査軸に対して放射状に放出される第１の放射ユニットからの放射線の強度よりも小さい程度に減衰される。特に、磁石ユニットを通過した後に第１の領域を通過する放射線の強度の減衰は、磁石ユニットを通過した後に第１の領域を通過しない放射線の強度の減衰の半分未満または１０％未満または１％未満である。検査開口は、特に、検査対象物を受け入れるように構成される。第１の放射ユニットは、特に、磁石ユニットの外側に形成することができる。医用イメージングシステムは、特に、正確に１つの磁石ユニットを備えることができる。
【００１２】
本発明者らは、磁石ユニットの外側に放射ユニットを配置することによって、ＭＲイメージング中に検査開口内の強い主磁場の影響を受けないことを認識した。したがって、強い磁場で動作するように設計されていない安価な放射ユニットを使用することが可能である。検査開口内の配置と比較して、磁石ユニットの外側の第１の放射ユニットの配置のさらなる利点は、磁石ユニットの外側の第１の放射ユニットのためにより多くの空間が利用可能であり、したがって、より効率的および／またはより強力な第１の放射ユニットを使用することが可能であることである。
【００１３】
さらに、本発明者らは、磁界の外側に配置することによって、第１の放射ユニットがメンテナンス作業のために非常に容易にアクセス可能になることを認識した。
【００１４】
本発明者はさらに、第１の放射ユニットからの放射線を透過する磁石ユニットの領域が、複数の別個の磁石ユニットを使用する必要がないことを意味することを認識した。これにより、複数の別個の磁石ユニットを用いる場合よりも、より均一な磁場、ひいてはより正確なＭＲイメージングを達成することが可能になる。
【００１５】
本発明のさらなる可能な態様によれば、磁石ユニットは、第１の領域および検査対象を通って検査軸に対して放射状に放出される第１の放射ユニットからの放射線に対して透過性であり、第１の領域と重ならない第１の出口領域をさらに備える。本発明者らは、一方では、追加の第１の出口領域が、放射線検出器を磁石ユニットの外側に配置することも可能にすることを認識した。さらに、第１の出口領域を使用して、第１の放射ユニットからの非拡散放射を、磁石ユニットと相互作用し、それを損傷することなく、磁石ユニットから逸らすことができる。
【００１６】
本発明のさらなる態様によれば、主磁石のコイル要素および少なくとも１つのコイルキャリアは、磁石ユニットの第１の領域の外側に配置される。特に、主磁石のコイル要素はなく、磁石ユニットの第１の領域内に配置されたコイルキャリアもない。本発明者らは、コイル要素および主磁石のコイルキャリアのこの幾何学的形状は、主磁石のコイル要素および少なくとも１つのコイルキャリアのために特別な材料を使用する必要がなく、主磁石または少なくとも１つのコイルキャリアのコイル要素の透過照明に放射強度損失がないので、放射ユニットからの放射線に対する透過性を特に効率的かつ安価に達成することができることを認識した。
【００１７】
本発明のさらなる態様によれば、第１の領域において、磁石ユニットは、第１のハウジング内に少なくとも１つの内部窓および少なくとも１つの外部窓を含み、内部窓および外部窓は、第１の放射ユニットの放射によって放出される放射線に対して透過性である。この場合、内部窓は、検査開口に面する磁石ユニットの側面に、特に第１のハウジングの一部として配置される。この場合、外部窓はさらに、検査開口から離れて面する磁石ユニットの側面に、特に第１のハウジングの一部として配置される。本発明者らは、少なくとも２つの窓を使用することにより、磁石ユニットの構造、したがって安定性を維持することができ、同時に磁石ユニットの第１の領域の透過性を達成することができることを認識した。
【００１８】
内部窓および外部窓は、内部窓および外部窓の材料が第１のハウジングの材料よりも第１の放射ユニットからの放射線に対してより透過性であるという点で、特に透過性である。特に、窓を通過する際の放射線の強度の減衰は、第１のハウジングを通過する際の強度の減衰の半分未満または１０％未満または１％未満である。
【００１９】
本発明のさらなる可能な態様によれば、内側窓および／または外側窓は、ベリリウムで作られる。本発明者らは、ベリリウム製の窓をコスト効率よく製造できることを認識した。さらに、このような窓は、グラファイトのような原子核の質量数が小さい他の材料で作られた窓よりも放射線損傷を受けにくい。
【００２０】
本発明のさらなる態様によれば、第１の領域は、検査軸に対して半径方向に延在し、検査軸に対して半径方向に第１の放射ユニットによって放出される放射線によって貫通され得る磁石ユニット内の漏斗として構成される。
【００２１】
漏斗は、特に、磁石ユニットの連続した開口部である。本発明者らは、漏斗の使用が、磁石を介して放射ユニットから送られる放射線を非常に弱く減衰させるだけであることを認識した。
【００２２】
本発明のさらなる態様によれば、漏斗は、特に、磁石ユニットの第１のハウジングによって形成することができ、特に、漏斗の側壁は、第１のハウジングによって形成することができる。本発明者らは、第１のハウジングによる漏斗の形成が、磁石ユニットを特に安定して具体化することを可能にし、特に、密閉された冷却システムを可能な限り簡単かつ安価に具体化することを可能にすることを認識した。
【００２３】
本発明のさらなる態様によれば、漏斗は、特に、第１の放射ユニットからの放射線を透過する材料で充填することができる。本発明者らは、放射線透過性材料で充填することにより、磁石ユニットの安定度を高めることができることを認識した。
【００２４】
本発明のさらなる可能な態様によれば、医用イメージングシステムは、第１の放射線検出器をさらに備え、第１の放射線検出器は、磁石ユニットの第１の領域を通って第１の放射ユニットから送られる放射線を検出するように構成され、第１の放射線検出器は、第１の放射ユニットから離れて面する検査対象の側面に配置される。
【００２５】
第１の放射線検出器は、特に、第１のＸ線検出器、ガンマ線検出器、および／または粒子検出器とすることができる。
【００２６】
本発明者らは、放射線の検出を使用して、第１の放射ユニットからの放射線による照射により検査対象が曝される放射線量を測定することができ、したがって、放射線量を最小限に抑えることができることを認識した。
【００２７】
本発明のさらなる態様によれば、第１の放射ユニットは、粒子放射を生成するように構成された粒子源である。
【００２８】
本発明者らは、粒子放射線による照射が、特に大量のエネルギーを組織に蓄積することを可能にし、したがって、照射が特に効果的であることを認識した。
【００２９】
本発明のさらなる態様によれば、第１の放射ユニットは、粒子放射線またはガンマ放射線を生成するように構成された放射線源である。本発明者らは、放射線源が磁石ユニットの外側の磁場によって影響されないので、放射線源を遮蔽または修正する必要がないことを認識した。そのため、そのような放射性源を使用することは、特に安価である。
【００３０】
本発明のさらなる可能な態様によれば、粒子源は、電子および／またはハドロン放射を生成するように構成される。本発明者らは、電子および／またはハドロン放射線が、粒子放射線源を用いて特に簡単かつ安価に生成され得ることを認識した。
【００３１】
本発明のさらなる態様によれば、第１の放射ユニットは、第１のＸ線源である。医用イメージングシステムは、第１のＸ線検出器をさらに含み、第１のＸ線検出器は、第１のＸ線源から離れて面する検査対象の側面に配置され、第１のＸ線源および第１のＸ線検出器は、検査対象のＸ線イメージングのために構成される。本発明者らは、ＭＲイメージングが良好な軟組織コントラストを有し、Ｘ線画像が骨構造およびコントラスト媒体を描写する効率的な方法であるため、第１のＸ線源によって放出され、第１のＸ線検出器によって受け取られるＸ線が、ＭＲイメージングによって効率的に補完される画像を可能にすることを認識した。
【００３２】
さらに、本発明者らは、磁石ユニットの外側に第１のＸ線源を配置することにより、検査開口内の配置よりも、Ｘ線投影の距離が大きくなり、拡大率が小さくなることを認識した。これは、検査対象の表面、特に患者の皮膚によって吸収される放射線量、およびＸ線投影のぼけを低減する。
【００３３】
本発明のさらなる態様によれば、第１のＸ線検出器は、主磁石の主磁場内に配置することができる。本発明者らは、一方では第１のＸ線検出器は第１のＸ線源よりも高い磁場に対してはるかに鈍感であり、他方ではＸ線は、主磁場内の配置のために、強度の減衰に関連する２回目ではなく、主磁石を１回通過するだけでよいことを認識した。したがって、この配置はまた、磁石ユニットの出口領域がＸ線に対して透過性であることを必要としない。
【００３４】
本発明のさらなる態様によれば、第１のＸ線検出器を湾曲させることができる。本発明者らは、湾曲した実施形態では、検査対象物のための検査開口内により多くの空間が残されること、および／またはより大きな第１のＸ線検出器を使用することが可能であることを認識した。
【００３５】
本発明のさらなる態様によれば、磁石ユニットは、第１の出口領域を備えることができ、さらに、第１のＸ線検出器は、第１の出口領域の前の検査開口から離れて面する磁石ユニットの側面で磁石ユニットの外側面に配置され、それにより、第１のＸ線検出器は、第１の領域を通して第１のＸ線源によって放出されたＸ線を受け取ることができる。本発明者らは、第１のＸ線検出器を磁石ユニットの外側に配置することにより、検査開口を可能な限り大きく具体化することができることを認識した。本発明のさらなる態様によれば、第１のＸ線検出器は、第１のＸ線源と同時に検査開口の周りを回転するように構成される。本発明者らは、同時回転により、第１のＸ線源と第１のＸ線検出器との間の相対位置が一定のままであり、Ｘ線画像を変化した相対位置に適合させる必要がないことを認識した。さらに、同時回転は、大きな回転不能な第１のＸ線検出器の代わりに、可能な限り小さく、したがって安価な第１のＸ線検出器を使用することを可能にする。
【００３６】
本発明のさらなる態様によれば、磁石ユニットは、検査開口の周りを回転するように構成される。本発明者らは、これにより、磁石ユニットの第１の領域を複数の配列で回転させることが可能になり、複数の方向からの照射は、常に磁石ユニットの１つの透過性領域のみを通過することができることを認識した。これは、磁石ユニットの透過性領域が、放射ユニットのビーム経路と同じ大きさであればよいことを意味する。可能な限り小さい第１の領域は、磁石ユニットの安定度を増大させ、さらに、主磁石のコイル要素および主磁石のコイルキャリアは、より大きな体積内に配置することができ、これにより、均一な磁場の生成が単純化される。可能な限り小さい第１の領域は、第１の領域の外側の勾配磁場コイルユニットおよび高周波アンテナユニットの配置をさらに単純化し、したがって勾配磁場および高周波磁場の品質を改善する。
【００３７】
本発明のさらなる態様によれば、磁石ユニットは勾配磁場コイルユニットを含み、勾配磁場コイルユニットの方向は検査開口に対して固定され、主磁石は検査開口の周りを回転するように構成される。言い換えれば、勾配磁場コイルユニットの方向は主磁石に対して可変である。磁石ユニットはまた、検査開口に対して固定された無線周波数アンテナを備えることができる。言い換えれば、勾配磁場コイルユニットおよび高周波アンテナの両方の方向を主磁石に対して可変にすることができる。
【００３８】
特に、高周波アンテナの方向は勾配磁場コイルユニットに対して固定される。本発明者らは、そのような構成内で、勾配磁場コイルユニットおよび／または高周波アンテナのために適合されたパルスシーケンスを使用するよりも簡単かつ安価であり、勾配磁場コイルユニットおよび検査体積の相対位置が固定されているために、従来のパルスシーケンスを勾配磁場コイルユニットおよび／または高周波アンテナのために使用することができることを認識した。
【００３９】
本発明の別の可能な態様によれば、医用イメージングシステムは第２のハウジングを含み、第２のハウジングは勾配磁場コイルユニットを含み、第２のハウジングは検査軸に対して半径方向に第１の放射ユニットによって放出される放射線に対して透過性である。
【００４０】
さらに、医用イメージングシステムは第１のハウジングを第２のハウジングに対して回転させるための手段を含む。本発明者らは、この構成において、勾配磁場コイルユニットと主磁石との相対位置を非常に容易に変更することができることを認識した。
【００４１】
本発明のさらなる態様によれば、第１の放射ユニットおよび主磁石は、検査開口の周りを同時に回転するように構成される。特に、第１の放射ユニットを磁石ユニットに接続することができる。特に、第１の放射ユニットは、第１の放射ユニットによって放出された放射線が磁石ユニットの第１の透過性領域を通過するように、磁石ユニットに接続することができる。
【００４２】
本発明者らは、第１の放射ユニットを磁石ユニットと同時に回転させることは、検査中に第１の放射ユニットの別個の時間集約的な位置合わせおよび／または位置決めが不要であることを意味することを認識した。さらに、磁石ユニットの第１の領域をできるだけ小さく選択することができる。
【００４３】
本発明者らは、さらに、この配置において、第１の放射ユニットを貫通する検査開口の外側の主磁石ユニットの磁場は、第１の放射ユニットの方向に依存しないことを認識した。これにより、第１の放射ユニットの方向に依存しない第１の放射ユニットにおいてとられるべき磁界を補償する手段が可能になる。
【００４４】
本発明のさらなる態様によれば、磁石ユニットは、熱伝導によって主磁石のコイル要素を冷却するように設計される。本発明者らは、熱伝導による冷却はより少ない冷媒を必要とするので、熱伝導による冷却は冷媒への浸漬による対流による冷却よりも安価であることを認識した。
【００４５】
さらに、本発明者は、熱伝導による冷却では、冷却効率は、磁石ユニットの位置合わせによって影響を受けないか、または浸漬による冷却よりも影響を受けにくいことを認識した。これにより、回転するように設計された磁石ユニットの場合であっても、効率的な冷却が可能となる。
【００４６】
本発明のさらなる態様によれば、主磁石のコイル要素からの廃熱は、循環する冷却剤を含むパイプによって放散される。本発明者らは、パイプが特に効果的な冷却を可能にすることを認識した。本発明者らは、パイプが磁石ユニットの第１の領域の外側に配置されるとき、第１の領域が第１の放射ユニットからの放射線に対して特に透過性であるように構成され得ることをさらに認識した。
【００４７】
本発明のさらなる態様によれば、主磁石のコイル要素は、超伝導材料から作られ、超伝導材料の臨界温度は、ヘリウムの沸点よりも高い。本発明者らは、液体ヘリウムの沸点より高い臨界温度が、液体ヘリウム以外の冷却剤の使用、および／または液体ヘリウムへの浸漬以外の冷却方法、特に熱伝導による冷却、を可能にすることを認識した。
【００４８】
したがって、このタイプの冷却は、より安価であり、さらに、回転するように構成された磁石ユニットに関して特に有利であり、さらに、このタイプの冷却は、第１の放射ユニットからの放射線に対して透過性である磁石ユニットの第１の領域を具現化するために特に有利である。
【００４９】
本発明のさらなる可能な態様によれば、主磁石のコイル要素の導電性材料は、二ホウ化マグネシウムである。本発明者らは、二ホウ化マグネシウムが、特に高い臨界温度を有する金属超伝導体であることを認識した。これにより、コイル要素を冷却するための手段を使用することが可能になり、コイル要素は、特に安価であり、放射ユニットによって放出される放射線に対して透過性である。
【００５０】
本発明のさらなる態様によれば、医用イメージングシステムは、第２の放射ユニットをさらに備え、第２の放射ユニットは、検査開口から離れて面する磁石ユニットの側面に配置される。磁石ユニットは、さらに、検査軸に対して半径方向に第２の放射ユニットによって放出される放射線に対して透過性である第２の領域を含む。第２のユニットは、磁石ユニットの第２の領域を通って検査開口の方向に放射線を放出するようにさらに構成され、第２の放射ユニットは、検査開口の周りを回転するようにさらに構成される。特に、第２の放射ユニットは、磁石ユニットの外側に配置することができる。本発明者は、第１のＸ線源に加えて存在するＭＲイメージングおよびＸ線画像に基づく第２の放射ユニットが、第１のＸ線源によって第２の放射ユニットで照射を行うことを可能にすることを認識した。これは、ＭＲイメージングおよび第１のＸ線イメージングからの相補的な画像情報の使用を可能にする。これは、第２の放射ユニットが特に効率的に使用されることを可能にする。
【００５１】
磁石ユニットの第２の領域は特に第２の放射ユニットからの放射線に対して透過性であり、それにより検査軸に対して放射状に放出され、第２の領域を通過する第２の放射ユニットからの放射線の強度は第１の領域または第２の領域を通過しない検査軸に対して放射状に放出される第２の放射ユニットからの放射線の強度よりも小さい程度に減衰される。特に、前記通過中に第２の領域を通過する放射線の強度の減衰は、第１および／または第２の領域を通過しない放射線の強度の減衰の半分未満または１０％未満または１％未満である。
【００５２】
本発明のさらなる態様によれば、第２の放射ユニットは、第２のＸ線源であり、医用イメージングシステム放射線は、第２のＸ線検出器をさらに含み、第２のＸ線検出器は、第２のＸ線源から離れて面する検査対象の側面に配置される。第２のＸ線検出器は、さらに、第２のＸ線源と同時に検査開口の周りを回転するように構成される。第２のＸ線源および第２のＸ線検出器は、検査対象のＸ線撮像のためにさらに構成される。
【００５３】
本発明者らは、このような構成により、Ｘ線源を回転させたり、磁石ユニットを回転させたりする必要なく、２つの異なる方向から２つのＸ線投影を同時に記録することができることを認識した。これは、Ｘ線源の回転または磁石ユニットの回転なしに、３次元Ｘ線画像データセットの再構成を可能にする。
【００５４】
本発明のさらなる可能な態様によれば、磁石ユニットは、第１の放射ユニットから放射状に第２の領域および検査対象を通って検査軸に放出される放射線に対して透過性である第２の出口領域をさらに含み、第２の出口領域は、第２の領域と重複しない。本発明者らは、一方では、追加の第２の出口領域が、放射線検出器を磁石ユニットの外側に配置することも可能にすることを認識した。さらに、第２の出口領域を使用して、第２の放射ユニットからの非拡散放射を、磁石ユニットと相互作用し、それを損傷することなく、磁石ユニットから逸らすことができる。
【００５５】
本発明のさらなる態様によれば、第２のＸ線検出器は、第１のＸ線検出器のさらなる特徴を含むことができる。第１のＸ線検出器の１つの実施形態に割り当てられた全ての利点は、第２のＸ線検出器の対応する実施形態に割り当てることもできる。
【００５６】
本発明のさらなる態様によれば、磁石ユニットの第２の領域、第１の出口領域、および／または第２の出口領域は、磁石ユニットの第１の領域のすべてのさらなる特徴を含むことができる。磁石ユニットの第１の領域の一実施形態に割り当てられる全ての利点は、第２の領域、第１の出口領域、および／または第２の出口領域の対応する実施形態に割り当てることもできる。
【００５７】
本発明のさらなる態様によれば、第１のＸ線源および第１のＸ線検出器からの接続線と、第２のＸ線源および第２のＸ線検出器からの接続線とは、６０度と１２０度との間、または８０度と１００度との間、または８５度と９５度との間の角度を囲む。本発明者は、接続線間の角度が、２つのＸ線源および２つのＸ線検出器で記録されたＸ線投影の投影方向間の角度に対応することを認識した。Ｘ線投影間のこの種の角度は、３次元Ｘ線投影が２次元Ｘ線投影から特に効率的な方法で再構成されることを可能にする。
【００５８】
磁石ユニットは、特に、円筒形、リング形、および／またはトーラス形とすることができる。磁石ユニットは、内部側と呼ばれる検査開口に面する側をさらに含み、磁石ユニットは、外部側と呼ばれる検査開口から離れて面する側をさらに含む。磁石ユニットは、優先方向の周りのループに沿って検査開口を囲むように検査開口を囲む。したがって、検査開口は、特に、２つの端部で開いている。磁石ユニットはまた、設計関連凹部を有する場合、検査開口を取り囲む。
【００５９】
放射ユニットは、電磁放射線または粒子放射線を放出する。電磁放射は、特にＸ線またはガンマ線であり得る。特にＸ線は、１ｐｍから５００ｐｍ、特に５ｐｍから２５０ｐｍ、特に５ｐｍから６０ｐｍの間の波長を有する電磁放射線を示す。ガンマは、特に、放射線の発生にかかわらず、５ｐｍ未満、特に１ｐｍ未満の波長を有する電磁放射線を指す。Ｘ線およびガンマ線のスペクトルは、単色または多色であり得る。粒子放射は、特に、共通の方向の粒子の流れに対応する。粒子は、特に、レプトンまたはバリオンであり得る。ベリーオンは、特に、陽子または中性子であり得る。レンズは、特に、電子、陽電子、またはミュー粒子であり得る。
【００６０】
磁石ユニットの第１の領域、第２の領域、および／または出口領域は、第１の領域、第２の領域、および／または出口領域を通過した後の放射線の強度が、第１の領域、第２の領域、および／または出口領域を通過する前の放射線の強度の少なくとも１０％、特に少なくとも５０％、特に少なくとも９０％、特に少なくとも９５％、特に少なくとも９９％、特に少なくとも９９.９％である場合に、第１の放射ユニットからの放射線に対して特に透過性である。
【００６１】
磁石ユニットは、第１の領域、第２の領域および／または出口領域を通過しない検査軸に対して放射状に放射される放射線の強度の減衰が、第１の領域、第２の領域および／または出口領域を通過しない検査軸に対して放射状に放射される放射線の強度の減衰よりも２倍以上、特に５倍以上、特に１０倍以上、特に５０倍以上大きい場合、特に第１の領域、第２の領域および／または出口領域を通過しない検査軸に対して半径方向に放出される第１の放射線ユニットからの放射線よりも、検査軸に対して半径方向に放出されかつ第１の領域、第２の領域および／または出口領域を通過する第１の放射線ユニットからの放射線に対してより透過性である。この場合、強度は、単位面積当たりおよび単位時間当たりの放射線のエネルギーを示す。単色電磁放射線の場合、放射線の強度は、特に、可変電界の二次振幅に比例する。粒子放射線の場合、放射線の強度は、特に、粒子のエネルギーおよび単位時間当たりの粒子の数に比例する。
【００６２】
第１のユニットおよび第２のユニットは、特に、それらが同じ角速度でその領域の周りを回転するとき、軸または領域の周りを同時に回転する。したがって、第１のユニットの第１の接続線と、軸または領域と、第２のユニットの第２の接続線と、軸または領域との間の角度も、特に一定のままである。
【００６３】
磁石のコイル要素の冷却は、熱伝導、熱対流および／または熱放射によって行うことができる。ＭＲ装置の主磁石のコイルエレメントは、例えば、液体ヘリウムに蓄えられている熱対流による冷却のために構成されている。ＭＲ装置の主磁石のコイル要素は、さらに、熱伝導による冷却のために具現化することができる。
【００６４】
超伝導体とは、臨界温度が下回ったときにゼロに低下する電気抵抗を有する材料を指す（別の技術用語は、転移温度である）。超伝導材料は、特に、強い磁場を発生させるためのコイルおよびコイル要素に使用される。
【００６５】
第２のユニットから離れて面する第３のユニットの側面に配置される第１のユニットは、第３のユニットの一部である必要はなく、または第３のユニットによって構成される必要もない。
【００６６】
第１のユニットは、この場合、特に、第３のユニットから見て、第２のユニットの後ろに配置されるが、第１のユニットは、特に、第２のユニットに取り付けられるか、または直接配置されることもできる。第２のユニットに面する第３のユニットの側面に配置される第１のユニットは、第３のユニットの一部であるか、または第３のユニットによって構成されなければならない。この場合、第１のユニットは、特に、第３のユニットから見て、第２のユニットの前に配置され、第１のユニットは、特に、第２のユニットに取り付けるか、または直接配置することもできる。
【００６７】
以下は、図面に示された例示的な実施形態を参照して、本発明をより詳細に説明し、説明する。
【図面の簡単な説明】
【００６８】
【図１】医用イメージングシステムの斜視図である。
【図２】内部および外部ウィンドウを有する磁石ユニットを示す図である。
【図３】漏斗を有する磁石ユニットを示す図である。
【図４】検査軸に垂直な医用イメージングシステムの断面を示す図である。
【図５】検査軸に垂直な医用イメージングシステムの断面であり、磁石ユニットの漏斗を通る断面を示す図である。
【図６】検査軸に平行な医用イメージングシステムの断面を示す図である。
【図７】磁石ユニットの漏斗を通る断面を示す図である。
【図８】磁石ユニットの窓を通る断面を示す図である。
【図９】第２のＸ線源および第２のＸ線検出器を有する医用イメージングシステムを示す図である。
【図１０】粒子加速器および粒子ビームガイドを含む第１の粒子放射ユニットを有する医用イメージングシステムを示す図である。
【図１１】荷電粒子放射線を放出する粒子放射ユニットを有する医用イメージングシステムを示す図である。
【図１２】主磁石が勾配磁場コイルユニットおよび高周波アンテナから独立して回転できる医用イメージングシステムを示す図である。
【図１３】主磁石が勾配コイルおよび高周波アンテナから独立して回転され得る、医用イメージングシステムの側面を示す図である。
【発明を実施するための形態】
【００６９】
図１は、医用イメージングシステム１０の斜視図である。この例示的な実施形態では、医用イメージングシステム１０は、磁石ユニット２０と、第１のＸ線源３０と、支持および回転器具４０と、ＭＲ制御および評価ユニット５０と、Ｘ線制御および評価ユニット６０と、検査対象８０が配置される支持器具７０とを含む。磁石ユニット２０は、患者８０と共に患者支持器具７０を受け入れるように構成された検査開口９０を有する。
【００７０】
この例示的な実施形態では、磁石ユニット２０は、検査軸９１の周りの中空円筒の形状で構成され、検査軸９１は、第３の座標軸ｚに平行に延在する。第１の座標軸ｘおよび第２の座標軸ｙも示されており、これらは第３の座標軸ｚと共に３次元デカルト座標系を形成する。
【００７１】
この例示的な実施形態では、磁石ユニット２０は、支持および回転器具４０によって、検査開口９０の周りに回転可能に、特に検査軸９１の周りに回転可能に、構成される。
【００７２】
同時に、第１のＸ線源３０は磁石ユニット２０に恒久的に接続されているので、磁石ユニット２０が検査軸９１を中心に回転すると、第１のＸ線源３０も検査軸９１を中心に検査開口９０を中心に回転する。磁石ユニット２０はＭＲ制御および評価ユニット５０に接続されている。第１の放射ユニット３０は、放射線制御および評価ユニット６０に接続されている。ＭＲ制御および評価ユニット５０は、更に、放射線制御および評価ユニット６０に接続され、特に、ＭＲ制御および評価ユニット５０および放射線制御および評価ユニット６０は、画像情報および／または制御信号を互いに交換することができる。
【００７３】
あるいは、ＭＲ制御および評価ユニット５０および放射線制御および評価ユニット６０を共通の制御および評価ユニットに実装することも可能である。
【００７４】
図示の例示的な実施形態では、検査対象８０は患者８０であり、支持器具７０は患者支持器具７０である。患者支持器具７０は、患者８０を円筒状検査開口９０内に移送するように構成されている。
【００７５】
図２は、外部窓２５．１および内部窓２５．２を有する磁石ユニット２０を示し、窓は、磁石ユニット２０の第１のハウジング２６の一部として構成される。この例示的な実施形態では、磁石ユニット２０の第１の領域は、外部窓２５．１および内部窓２５．２によって境界付けられる。ここで、外部窓２５．１および内部窓２５．２は、ガラス製である。しかし、２つの窓２５．１、２５．２は、ベリリウム、アルミニウム、または他の材料で作ることもでき、他の材料は、第１の放射ユニット３０からの放射線３２に対して透過性である。図示の例示的な実施形態では、外部窓２５．１および内部窓２５．２は長方形である。しかし、２つの窓２５．１、２５．２は、円形、楕円形、または別の形状であってもよい。外部窓２５．１および内部窓２５．２の設計は、特に、磁石ユニット２０の必要な安定性および第１の放射ユニット３０からの放射線３２のビーム経路の幾何学的形状を考慮することができる。
【００７６】
図２に示される例示的な実施形態では、磁石ユニット２０は、検査軸９１の周りを回転するように構成され、磁石ユニット２０の正確に１つの第１の領域のみが、外部窓２５．１および内部窓２５．２によって境界付けられる。磁石ユニット２０が検査軸９１の周りを回転しないように構成される場合、複数の第１の領域、すなわち複数の外部窓２５．１および内部窓２５．２を有する磁石ユニット２０を、またはより大きな外部窓２５．１およびより大きな内部窓２５．２によって画定されるより大きな第１の領域を有する磁石ユニット２０を、第１の放射ユニット３０が異なる方向から検査対象８０を照射することができるように、代替的に使用することが可能である。
【００７７】
例示的な実施形態では、外部窓２５．１および内部窓２５．２は、磁石ユニット２０の第１のハウジング２６の曲率にアーチ形に適合される。平坦な外部窓２５．１および／または平坦な内部窓２５．２を使用することも可能である。
【００７８】
図３は、第１の領域として漏斗２４を形成する磁石ユニット２０を示す。漏斗２４は、特に、磁石ユニット２０の第１のハウジング２６によって形成されている。
【００７９】
この例示的な実施形態では、漏斗２４は、長方形の基部を有するプリズム形状で構成される。しかしながら、漏斗２４はまた、異なる形状の基部を有するプリズム形状で、または角錐台または円錐台として構成され得る。特に、漏斗２４は円筒形であることが可能である。漏斗２４の設計は、特に、磁石ユニット２０の必要な安定性、および第１の放射ユニット３０からの放射線３２のビーム経路の幾何学的形状を考慮することができる。例示的な実施形態では、漏斗２４は空気で満たされる。しかしながら、漏斗２４を、第１の放射ユニット３０によって放射された放射線が透過することができる別の材料で充填することも可能である。第１の放射ユニット３０が第１のＸ線源３０である場合、漏斗２４は特にプレキシグラスで充填することもできる。
【００８０】
図３に示した実施例では、磁石ユニット２０は検査軸９１を中心に回転するように構成されており、磁石ユニット２０の正確に１つの第１の領域のみが漏斗２４によって形成されている。磁石ユニット２０が検査軸９１を中心に回転しないように構成されている場合、複数の第１の領域を有する磁石ユニット２０、すなわち複数の漏斗２４を、またはより大きな漏斗２４、を有するより大きな第１の領域を有する磁石ユニット２０を代替的に使用して、第１の放射ユニット３０が異なる方向から検査対象８０を照射することが可能である。
【００８１】
図４は、検査軸９１に直交する医用イメージングシステム１０の断面、特に磁石ユニット２０の断面を示す。図５はまた、検査軸９１に直交する医用イメージングシステム１０の断面、特に磁石ユニット２０の断面を示す。図示の例示的な実施形態では、磁石ユニット２０は、回転するように構成され、第１の放射ユニット３０は、さらに、磁石ユニット２０に恒久的に接続され、検査開口９０の周りで磁石ユニット２０と一緒にかつ同時に回転するように構成される。磁石ユニット２０の方向は、第１の回転座標軸ｘ’および第２の回転座標軸ｙ’によって指定され、第２の回転座標軸ｙ’は、第１の回転座標軸ｘ’に直交し、第１の回転座標軸ｘ’および第２の回転座標軸ｙ’は、検査軸９１、したがって第３の座標軸ｚに直交する。図示の例示的な実施形態では、第１の放射ユニット３０は第１のＸ線源に対応し、医用イメージングシステム１０はさらに第１のＸ線検出器３１を含む。明らかに、磁石ユニット２０を別の第１の放射ユニット３０に接続し、検査軸９１を中心に同時に回転するように構成することも可能である。図４および図５に示す例示的な実施形態では、第１のＸ線検出器３１は、第１のＸ線源３０と同時に、すなわち磁石ユニット２０と同時に回転するように構成される。代替的に、第１のＸ線検出器３１は、固定式として具体化することもでき、この場合、第１のＸ線源３０からのＸ線３２を異なる方向から検出するために、はるかに大きいおよび／または湾曲した第１のＸ線検出器３１を使用することが必要である。
【００８２】
図示の例示的な実施形態では、第１の放射ユニット３０は、Ｘ線３２を放出するように構成された第１のＸ線源３０である。しかしながら、第１の放射ユニット３０は、ガンマ放射線または粒子放射線を放出するように具体化することもできる。第１の放射ユニット３０は、放射線源、特にガンマ線を放射するコバルト‐６０源であってもよい。放射性源の使用は、放射性源が強い磁場によって影響されないという利点を有する。
【００８３】
図示の例示的な実施形態では、第１のＸ線源３０は、回転陽極を有する第１のＸ線管３０として構成される。第１のＸ線管３０は、特に、検査対象８０のＸ線投影が記録されるという点で、検査対象８０のＸ線撮像のための第１のＸ線検出器３１と一緒に具現化することができる。この場合、回転陽極を有する第１のＸ線管および第１のＸ線検出器３１が従来技術から知られている。異なる投影方向に対する検査対象の複数のＸ線投影の使用は、３次元Ｘ線画像データセットの再構成を可能にすることもできる。
【００８４】
あるいは、第１のＸ線源３０は、スタティック陽極または液体金属ジェット陽極を有する第１のＸ線管として具体化することもできる。第１のＸ線源は、さらに、線形加速器またはＬＩＮＡＣとして具現化することができる。Ｘ線管と比較して、線形加速器は、特に、より短い波長を有するＸ線を生成することができる。これらのＸ線は、検査対象８０の領域の操作のために特に使用することができる。この場合、照射は、組織、特に、組織を破壊することが特に可能である。線形加速器は、粒子放射線を生成することもできる。
【００８５】
線形加速器は、軸に沿って構成された線形加速ユニットを備える。線形加速ユニットは、第１の回転された座標軸ｘ’に平行に具体化することができる。線形加速ユニットは、別の方向、特に第３の座標軸ｚに平行な方向、または第２の回転座標軸ｙ’に平行な方向にも具体化することができる。この場合、磁石ユニット２０の上方のスペース要件は特に小さく、医用イメージングシステム１０は、標準的な検査チャンバで使用することができるが、磁石ユニット２０の第１の領域を通して放射線３２を正確に放出するために、粒子放射線の場合には、追加の偏向ユニットを使用しなければならない。
【００８６】
第１のＸ線検出器３１は、図示の実施例に示されているように、平坦に形成されていてよい。この場合、例えばアモルファスシリコンまたは相補型金属酸化膜半導体（一般に「ＣＭＯＳ」と略記する）で作られたフラットＸ線検出器３１の異なる実施形態が知られている。光子計数第１Ｘ線検出器およびスクリーンフィルムを含む第１Ｘ線検出器も知られており、スクリーンフィルムはＸ線３２を可視光に変換する。また、第１のＸ線検出器３１は、湾曲または部分的に湾曲していてもよい。
【００８７】
図４および図５の例示的な実施形態に示すように、第１のＸ線検出器３１は、検査開口９０内に具体化することができる。さらに、Ｘ線検出器は、主磁石２１と検査開口９０との間、特に、部品間もしくは勾配磁場コイルユニット２２内または部品間もしくは高周波アンテナユニット２３内にも構成され得る。しかし、これに代えて、第１のＸ線検出器３１は、磁石ユニット２０の外側で、磁石ユニット２０の第１のＸ線源とは反対側に配置することもできる。この場合、磁石ユニット２０は、第１の放射ユニット３０からの放射線３２を透過する出口領域２７を含み、検査対象８０を通過した後、放射線３２は出口領域２７を通過する。
【００８８】
図６は、第２の座標軸ｙに直交する断面を基準とした磁石ユニット２０の動作モードの概略図である。磁石ユニット２０は、患者８０を受け入れるための検査開口９０を取り囲んでいる。本実施形態では、は、円柱状検査開口９０であり、円周方向において、中空円筒状の磁石ユニット２０によって囲まれている。しかしながら、原則として、そこから逸脱している検査開口９０の実施形態はいつでも考えられる。患者８０は、患者支持器具７０によって検査開口９０内に押し込むことができる。この目的のために、患者支持器具７０は、検査開口９０内に移動可能に構成された患者テーブルを備える。
【００８９】
磁石ユニット２０は、検査開口９０内に強力で特に均一な主磁場を発生させるための主磁石２１を備えている。磁石ユニット２０は、第１のハウジング２６によって外部から遮蔽されている。
【００９０】
磁石ユニット２０は、さらに、撮像中に空間符号化のために使用される磁場勾配を生成するための勾配磁場コイルユニット２２を備える。勾配磁場コイルユニット２２は、ＭＲ制御および評価ユニット５０の勾配制御ユニット５３によって制御される。磁石ユニット２０はさらに、本実施例では磁石ユニット２０に永久的に組み込まれたボディコイルとして形成された高周波アンテナユニット２３を有している。高周波アンテナユニット２３は、主磁石２１により発生された主磁場中に確立された原子核を励起するように設計されている。
【００９１】
高周波アンテナユニット２３は、ＭＲ制御および評価ユニット５０の高周波アンテナ制御ユニット５２によって制御され、磁石ユニット２０の検査開口９０によって実質的に形成された検査チャンバ内に高周波交番磁界を照射する。高周波アンテナユニット２３はさらに、磁気共鳴信号を受信するように構成されている。
【００９２】
勾配磁場コイルユニット２２は、特に、第１の回転座標軸ｘ’の方向、第２の回転座標軸ｙ’の方向、または第３の座標軸ｙの方向に勾配を有する磁場を生成することができる。この目的のために、この例示的な実施形態では、勾配磁場コイルユニット２２は、３つの勾配コイルサブユニットを含み、その各々は、座標軸ｘ’、ｙ’、ｚ’のうちの１つの方向に勾配を有する磁場を生成することができる。この場合、各勾配コイルサブユニットが磁石ユニット２０の第１の領域の外側に配置されるように、３つの勾配コイルサブユニットの各々に対して配置されることが知られている。
【００９３】
主磁石２１、勾配磁場コイルユニット２２および高周波アンテナユニット２３を制御するために、磁石ユニット２０はＭＲ制御および評価ユニット５０に接続されている。ＭＲ制御および評価ユニット５０は、例えば、所定のイメージング勾配エコーシーケンスを実行するために、システム制御ユニット５１によって磁石ユニット２０を集中的に制御する。この場合、制御は、高周波アンテナ制御ユニット５２および勾配制御ユニット５３を介して行われる。ＭＲ制御および評価ユニット５０は、磁気共鳴検査中に取得された医用画像データを評価するための評価ユニット（詳細には図示せず）も備える。さらに、ＭＲ制御および評価ユニット５０は、詳細には示されていないユーザインタフェースを備え、これは、表示ユニット５４および入力ユニット５５を備え、これらの各々は、システム制御ユニット５１に接続されている。例えば、イメージングパラメータおよび再構成された磁気共鳴画像のような制御情報は、医用オペレータのために、例えば少なくとも１つのモニタ上の表示ユニット５４上に表示することができる。入力ユニット５５は、医療オペレータが走査プロセス中に情報および／またはパラメータを入力するために使用することができる。
【００９４】
磁石ユニット２０が検査ボリューム９０の周りを回転するように構成され、勾配磁場コイルユニット２２が磁石ユニット２０と同時に回転するように構成される場合、勾配コイルパルスシーケンスは、第３の座標軸ｚに直交する平面内の勾配磁場のベクトルが患者に対して回転しないことを確実にするように修正される。
【００９５】
図７は、磁石ユニット２０を通る漏斗２４を通る第１の回転座標軸ｙ’に直交する断面を示す。図示の例示的な実施形態では、漏斗２４は、主磁石２１および勾配磁場コイルユニット２２を貫通するが、高周波アンテナユニット２３は貫通しない。この実施例では、高周波アンテナユニット２３は少なくとも部分的に、第１の放射ユニット３０からの放射線３２を透過できるように構成されている。漏斗２４が高周波アンテナユニット２３を貫通することも可能である。さらに、漏斗２４が勾配磁場コイルユニット２２を貫通しないことも可能であり、この場合、勾配磁場コイルユニット２２は、第１の放射ユニット３０からの放射線３２によって少なくとも部分的に貫通可能であるように構成されなければならない。漏斗２４は、主磁石２１、特にコイル要素２１．１が検査開口９０内に均一な磁場を発生できるように、主磁石２１を貫通する。図示の例示的な実施形態では、主磁石２１は、冷却剤２１．３によって囲まれたコイルキャリア２１．２上の複数の超伝導コイル要素２１．１を含む。この場合、超伝導コイル要素２１．１は検査開口９０を取り囲む。コイルキャリア２１．２は、一方では、コイル要素２１．１の機械的安定性および寸法安定性を提供し、また、コイル要素２１．１の冷却を提供する。
【００９６】
この実施形態において、磁石ユニット２０が検査ボリューム９０の周りを回転するように構成され、勾配磁場コイルユニット２２が磁石ユニット２０と同時に回転するように構成される場合、勾配コイルパルスシーケンスは、第３の座標軸に直交する平面内の勾配磁場のベクトルが第１の座標軸ｘおよび第２の座標軸ｙに対して回転しないが、第１の回転座標軸ｘ’および第２の回転座標軸ｙ’に対して回転するように修正される。
【００９７】
図８は、磁石ユニット２０の外部窓２５．１および内部窓２５．２を通る第１の回転座標軸ｙに直交する断面を示す。図示の例示的な実施形態では、外部窓２５．１および内部窓２５．２は、磁石ユニット２０の第１のハウジング２６の一部である。ここで、外部窓２５．１および内部窓２５．２の両方は、長方形として構成される。明らかに、他の窓形状、特に円形窓２５．１、２５．２も可能である。
【００９８】
この例示的な実施形態では、断熱材２１．４はまた、第１の放射ユニット３０からの放射線３２が透過可能な領域２１．５を含む。断熱材２１．４のこれらの領域２１．５は、例えば、断熱材２１．４の材料から構成することができるが、この領域の外側の第１のハウジング２６よりも薄く具体化することができる。断熱材２１．４の領域２１．５は、金属箔、特にアルミニウム箔または銅箔で作ることもできる。
【００９９】
図示の例示的な実施形態では、外部窓２５．１および内部窓２５．２はベリリウムで作られている。さらに、窓２５．１、２５．２を、第１の放射ユニット３０からの放射線３２を透過する別の材料、例えばアルミニウムまたはガラスで作ることも可能である。
【０１００】
図示の例示的な実施形態では、コイル要素２１．１の導電性材料は、二ホウ化マグネシウムＭｇＢ２である。臨界温度３９Ｋのホウ化マグネシウムＭｇＢ２は、通常圧力１０１３ ｈＰａで沸点４．２Ｋを上回っている。コイル要素２１．１のための代替の導電性材料、特に超伝導材料、特に常圧でヘリウムの沸点４．２Ｋより高い臨界温度、１０１３ｈＰａを有する超伝導材料、例えば２３ Ｋの臨界温度を有するニオブ‐ゲルマニウムＮｂｓＧｅも考えられる。
【０１０１】
図７および図８の両方に示す例示的な実施形態では、冷却はコイルキャリア２１．２を介した熱伝導によって行われ、コイルキャリア２１．２は管システムによって冷却され、熱伝達のための冷却剤は管システム内を循環し、熱は熱交換器に伝達される。これは、任意の気体冷却剤２１．３によって支援することができる。
【０１０２】
図７には示されていない管システムは、第１の放射ユニット３０からの放射線３２に対する第１の領域の透過性を改善するために、磁石ユニット２０の第１の領域には構成されないように構成される。代替的に、特に回転しないように構成された磁石ユニット２０の場合、コイル要素２１．１は、冷却剤２１．３、例えば液体ヘリウム２１．３に浸漬することによって冷却することができる。この種の管システムは、例えば、ＤＥ １０ ２００４ ０６１ ８６９Ｂ４から既知である。
【０１０３】
図７および図８の両方に示す例示的な実施形態では、主磁石２１のコイル要素２１．１および主磁石２１のコイルキャリア２１．２は、磁石ユニット２０の第１の領域に配置されていない。さらに、磁石ユニット２０の第１の領域には、コイル要素２１．１の一部およびコイルキャリア２１．２の一部も配置されていない。磁石ユニット２０の場合、コイル要素２１．１は、典型的には、検査開口９０内に電流が流れているときに第３の座標軸ｚの方向に均一な磁場を発生させるために、リング形状で検査軸９１を取り囲む。リング状のコイル要素２１．１は、第３の座標軸ｚに対して互いに離間している。磁石ユニット２０の第１の領域にコイル要素２１．１のどの部分も構成されていないことを保証するために、特に、第３座標軸ｚに関して第１領域の延長よりも大きい２つの異なるコイル要素２１．１間の距離を選択することが可能であり、２つの異なるコイル要素２１．１を第１領域の異なる側に配置することができる。この距離は、特に、他のすべての隣接するコイル要素２１．１間の距離よりも大きくすることができる。
【０１０４】
特に、第３の座標軸ｚに対する２つのコイル要素２１．１の間の距離が、第１の領域から遠く離れるよりも第１の領域の近くで大きくなるように、２つの複数のコイル要素２１．１を第１の領域の複数の側に配置することも可能である。図７および図８に示す例示的な実施形態では、コイルキャリア２１．２は、コイルキャリア２１．２を通る放射線３２のビーム経路の延長よりも大きい連続開口を第１の領域に具現化する。別法として、それぞれ少なくとも１つの別個のコイルキャリア２１．２を第１の領域の異なる側に配置することが考えられる。さらに、コイルキャリア２１．２の材料として、第１の放射ユニット３０からの放射線３２に対して透過性の材料を使用することも可能である。コイルキャリア２１．２は、有利には、高い熱伝導率および低い機械的変形性を有する材料、特に金属、特にアルミニウムから作製される。特に、コイルキャリア２１．２は、熱伝導によって主磁石２０のコイル要素２１．１を冷却するように具体化することができ、特に、コイルキャリア２１．２の材料の熱伝導率は、１０Ｗ／（ｍ・Ｋ）を超える、特に２０ Ｗ／（ｍ・Ｋ）を超える、特に５０ Ｗ／（ｍ・Ｋ）を超える、または特に１００ Ｗ／（ｍ・Ｋ）を超える。ここで、単位Ｗ／（ｍ・Ｋ）は、ワット／メートルおよびケルビンの略である。
【０１０５】
図９は、第１のＸ線源３０と、第２のＸ線源３３と、第１のＸ線検出器３１と、第２のＸ線検出器３４とを有する医用イメージングシステム１０の概略断面図を示す。この場合、第１のＸ線源３０は、磁石ユニット２０を通り、検査対象８０を通って第１の回転座標軸ｘ’’の方向に第１のＸ線検出器３１にＸ線３２を放出するように構成され、第２のＸ線源３３は、磁石ユニット２０を通り、検査対象８０を通って第２の回転座標軸ｙ’の方向に第２のＸ線検出器３４にＸ線３５を放出するように構成される。この場合、回転された座標軸ｘ’は、回転された座標軸ｙ’に直交し、両方の回転された座標軸は、検査軸９１に直交し、したがって座標軸ｚに直交する。この配置は、２つのＸ線投影が、直交する投影方向に関して同時に記録されることを可能にする。２つのＸ線投影を使用して、３次元画像データセットを再構成することができる。図示の実施形態では、磁石ユニット２０は検査開口９０の周り、特に検査軸９１の周りを回転するように構成されている。第１のＸ線源３０、第１のＸ線検出器３１、第２のＸ線源３３および第２のＸ線検出器３４は、磁石ユニット２０と同時に検査開口９０の周りに、特に検査軸９１の周りに回転するように構成され、例えば、それらは永久的に磁石ユニット２０に接続される。
【０１０６】
図９において、第１のＸ線源３０と第１のＸ線検出器３１との間の接続線は座標軸ｘ’に対応し、第２のＸ線源３３と第２のＸ線検出器３４との間の接続線は座標軸ｙ’に対応する。この例示的な実施形態では、接続線は互いに直交しているが、他の角度も可能である。
【０１０７】
図１０は、第２の座標軸ｙに直交する医用イメージングシステム１０の概略断面図を示す。磁石ユニット２０に加えて、医用イメージングシステム１０は、粒子加速器３０．１および荷電粒子用の可動粒子ビームガイド３０．２（可動粒子ビームガイドの英語の技術用語は「ガントリー」である）を備えた放射ユニット３０を含む。この例示的な実施形態では、粒子加速器３０．１は静止したものとして構成され、粒子ビームガイド３０．２は検査開口９０の周り、特に検査軸９１の周りを回転するように構成される。
【０１０８】
図示の実施形態では、磁石ユニット２０は検査開口９０を中心として回転するように構成されている。この場合、粒子ビームガイド３０．２および磁石ユニット２０は、同時に回転するように構成されている。可動粒子ビームガイド３０．２は、磁場を生成し、荷電粒子に作用するローレンツ力によって粒子ビームガイド３０．２に沿った曲線上で粒子を案内する偏向ユニットを備える。この場合、粒子ビームガイド３０．２の磁場の強度は、案内される粒子の質量、電荷、および速度に適合させることができる。
【０１０９】
この例示的な実施形態では、医用イメージングシステム１０は、出口領域２７およびスクリーン２８をさらに備える。出口領域２７は、放射ユニット３０によって漏斗２４を通って検査対象８０に送られた放射線３２が出口領域２７を通って磁石ユニット２０から出るように構成されている。これは、粒子放射線３２が磁石ユニット２０を損傷しないことを保証する。スクリーン２８は、鉛製であることが有利であり、粒子ビーム３２を吸収して、粒子放射線３２が危険にさらされるのを防止する。
【０１１０】
図示の実施形態では、磁石ユニット２０の出口領域２７は、検査軸９１に対して磁石ユニット２０の漏斗２４に直接対向して配置されている。しかしながら、主磁石２１の主磁場による放射線３２の偏向が考慮されるように、出口領域２７を別の位置に具体化することも可能である。
【０１１１】
図１１は、図１０に示される医用イメージングシステム１０のさらなる断面を示す。主磁石２１、勾配磁場コイルユニット２２および高周波アンテナユニット２３は時定数または時変の磁界または電界を発生するので、荷電粒子からなる放射線３２はローレンツ力によって方向転換される。この例では、第１の放射ユニット３０は、粒子ビーム３２内の荷電粒子の速度および方向を、検査開口９０内に広がる電界および磁界を考慮して検査対象８０の所定の部分に到達するように適合させるように構成される。
【０１１２】
また、磁石ユニット２０の磁界と粒子放射線ユニット３０をマッチングさせるために、本実施形態では、放射線制御および評価ユニット６０とＭＲ制御および評価ユニット５０とが接続されており、この場合、ＭＲ制御および評価ユニット５０は、磁石ユニット２０の磁界に関する情報を、粒子放射線３２の粒子の速度と方向を適応させる放射線制御および評価ユニット６０に提供する。しかしながら、放射線制御および評価ユニット６０およびＭＲ制御および評価ユニット５０を、磁石ユニット２０および第１の放射ユニット３０の両方を制御し、得られたデータを評価する共通の制御および評価ユニットとして具現化することも可能である。
【０１１３】
図示の実施形態では、ＭＲ制御および評価ユニット５０は、さらに、ＭＲイメージングデータセットを放射線制御および評価ユニット６０に伝送する。次に、放射線制御および評価ユニット６０は、放射線３２が検査対象８０の所定の部分に到達するように放射ユニット３０を制御することができる。この場合、検査対象８０の変化または移動による検査対象８０の所定の部分の可能な移動は、ＭＲイメージングデータセットの分析によって検出され、放射線制御および評価ユニット６０によって補償されることができる。
【０１１４】
図１２は、主磁石２１が勾配磁場コイルユニット２２および高周波アンテナ２３から独立して回転できる医用イメージングシステムの断面を示す。図１３は、医用イメージングシステムの同じ実施形態の側面図を示す。
【０１１５】
この実施形態では、主磁石２１は、第１のハウジング２６内にいくつかのコイル要素２１．１およびコイルキャリア２１．２を備える。主磁石は、検査軸９１を中心として第１のハウジング２６と同時に回転するように構成されている。第１のハウジング２６は、いくつかのコイル要素２１．１を冷却するためのさらなる手段を備え、これらのコイル要素は、明瞭さのために示されていない。
【０１１６】
この実施形態では、第１の放射ユニット３０は、ガンマ線を放出するように構成され、主磁石２１の第２のハウジング２７に取り付けられることによって主磁石２１と同時に回転するように構成される放射性コバルト‐６０源である。放射性コバルト‐６０源内の放射性コバルト‐６０は、ガンマ線の放出を停止するように制御することができないので、放射性コバルト‐６０源は、ガンマ線３２が検査ボリューム内で必要とされないときはいつでも、ガンマ線３２を遮断するための閉鎖可能なシャッタを備える。あるいは、第１の放射ユニット３０は、Ｘ線源、別のガンマ線源、または粒子放射線源であってもよい。
【０１１７】
勾配磁場コイルユニット２２および高周波アンテナ２３は、第２のハウジング２７に取り付けられている。第２のハウジング２７並びに勾配磁場コイルユニット２２および高周波アンテナ２３は固定されており、検査軸線を中心として回転するようには形成されていない。
【０１１８】
この実施形態では、第２のハウジング２７は、閉じたハウジングではなく、勾配磁場コイルユニット２２および高周波アンテナ２３を一方の側からのみ支持するように構成されている。特に、第２のハウジング２７は、第１の放射源３０の放射線３２と干渉しないように構成されている。
【０１１９】
さらに、勾配磁場コイルユニット２２および高周波アンテナ２３は分割されており、換言すれば、勾配磁場コイルユニット２２を形成する２つの円筒形傾斜磁場コイルサブユニット２２．１、２２．２と、高周波アンテナ２３を形成する２つの円筒形高周波サブアンテナ２３．１、２３．２とがある。
【０１２０】
放射線３２が第３の座標軸ｚに対して座標値０を有する場合、第１の勾配コイルサブユニット２２．１は、第３の座標軸ｚに対して正の座標を有し、第２の勾配コイルサブユニット２２．２は、第３の座標軸ｚに対して負の座標を有し、さらに、第１の無線周波数サブアンテナ２３．１は、第３の座標軸ｚに対して正の座標を有し、第２の無線周波数サブアンテナ２３．２は、第３の座標軸ｚに対して負の座標を有する。あるいは、第２のハウジング２７は、閉じたハウジングである。この別の実施形態では、第１のハウジング２６の異なる実施形態が第１の放射線３２に対して透過性であるように構成されるのと同様に、第２のハウジング２７は第１の放射源３０の放射線３２に対して透過性であるように形成される。例えば、外部窓と内部窓とを備えることによって、または漏斗を具体化することによって、供給源となる。
【０１２１】
さらに、この実施形態では、医用イメージングシステム１０は、第２のハウジング２７内で第１のハウジング２６を回転させるための手段２８．１〜２８．４を備える。この実施形態では、以下の手段を用いる２８.１〜２８．４はゴムホイールであり、一方のゴムホイール２８．１はエンジンによって駆動され、他方のゴムホイール２８．２、２８．３、２８．３は第２のハウジング２７内での第１のハウジング２６の回転を案内する。あるいは、第１のハウジング２６を回転させる手段２８．１〜２８．４のうちの２つ以上を駆動することも可能である。
【０１２２】
この実施形態では、磁石ユニット２０は、第１の領域内の第１のハウジング２６内に内部窓２５．２および外部窓２５．１を含み、内部窓２５．２および外部窓２５．１の両方が放射線３２に対して透過性である。内部窓２５．２および外部窓２５．１は、特にベリリウムで作ることができ、あるいは、アルミニウムまたはガラスのような別の材料で作ることができる。代替的に、第１の領域は、検査軸９１に対して半径方向に延在する磁石ユニット２０内の漏斗２４として具現化することもでき、第１の領域は、検査軸９１に対して半径方向に第１の放射ユニット３０によって放出される放射線３２に対して透過性である。この実施形態では、磁石ユニット２０に取り付けられた第１の放射ユニット３０は１つだけであり、第１の放射ユニット３０はコバルト‐６０源として構成され、さらに、磁石ユニットは、第１の放射ユニット３０によって放出された放射線３２に対して透過性である第１の領域を１つだけ備える。
【０１２３】
代替的に、かつ付加的に、磁石ユニット２０に取り付けられた第２の放射ユニット３３があってもよく、磁石ユニットは、第２の放射ユニット３３によって放出される放射線３５に対して透過性である第２の領域を備えてもよい。
【図１】
2019535419.tif 000003
【図２】
2019535419.tif 000004
【図３】
2019535419.tif 000005
【図４】
2019535419.tif 000006
【図５】
2019535419.tif 000007
【図６】
2019535419.tif 000008
【図７】
2019535419.tif 000009
【図８】
2019535419.tif 000010
【図９】
2019535419.tif 000011
【図１０】
2019535419.tif 000012
【図１１】
2019535419.tif 000013
【図１２】
2019535419.tif 000014
【図１３】
2019535419.tif 000015
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
検査対象（８０）の磁気共鳴イメージングのために構成された磁石ユニット（２０）と、前記検査対象（８０）を照射するために構成された第１の放射ユニット（３０）と、を備える医用イメージングシステム（１０）であって、
前記磁石ユニット（２０）は主磁石（２１）と第１のハウジング（２６）を含み、前記主磁石（２１）は前記第１のハウジング（２６）の内側に配置され、前記主磁石（２１）はコイル要素（２１．１）と少なくとも１つのコイルキャリア（２１.２）とを含み、
前記磁石ユニット（２０）は、前記磁石ユニット（２０）が検査開口（９０）を囲むように、検査軸（９１）に沿って検査開口（９０）を画定し、
前記磁石ユニット（２０）は前記検査軸（９１）に対して半径方向に第１の放射ユニット（３０）によって放出される放射線（３２）に対して透過性である第１の領域を含み、
前記第１の放射ユニット（３０）は前記検査開口（９０）から離れて面する前記磁石ユニット（２０）の側面に配置され、
前記第１放射ユニット（３０）は、前記磁石ユニット（２０）の前記第１領域を通して前記検査開口（９０）の方向に前記放射線（３２）を放射するように構成され、
さらに前記第１の放射ユニット（３０）は前記検査開口（９０）の周りを回転するように構成される、医用イメージングシステム（１０）。
【請求項２】
前記主磁石（２１）の前記コイル要素（２１．１）および前記少なくとも１つのコイルキャリア（２１．２）は、前記磁石ユニット（２０）の前記第１の領域の外側に配置される、請求項１に記載の医用イメージングシステム（１０）。
【請求項３】
前記第１の領域において、前記磁石ユニット（２０）は、少なくとも１つの内部窓（２５．２）と、前記第１のハウジング（２６）内の少なくとも１つの外部窓（２５．１）とを備え、前記内部窓（２５．２）および前記外部窓（２５．１）は前記第１の放射ユニット（３０）によって放出される前記放射線（３２）に対して透過性である、請求項１又は２に記載の医用イメージングシステム（１０）。
【請求項４】
前記第１の領域は、前記検査軸（９１）に対して半径方向に延びる前記磁石ユニット（２０）内の前記漏斗（２４）として形成され、前記検査軸に対して半径方向に前記第１の放射ユニット（３０）によって放出される前記放射線（３２）に対して透過性である、請求項１〜３のうちの１つに記載の医用イメージングシステム（１０）。
【請求項５】
前記第１の放射ユニット（３０）は、粒子放射線（３２）を生成するように構成された粒子放射線源である、請求項１〜４のうちの１つに記載の医用イメージングシステム（１０）。
【請求項６】
前記第１の放射ユニット（３０）は粒子放射線（３２）またはガンマ放射線（３２）を生成するように構成された放射線源である、請求項１〜４のうちの１つに記載の医用イメージングシステム（１０）。
【請求項７】
前記第１の放射ユニット（３０）は、第１のＸ線源（３０）であり、前記医用イメージングシステム（１０）は、さらに第１のＸ線検出器（３１）を含み、前記第１のＸ線検出器（３１）は、前記第１のＸ線源（３０）から離れた方の検査対象物（８０）の側面に配置され、前記第１のＸ線源（３０）および前記第１のＸ線検出器（３１）は、前記検査対象物（８０）のＸ線撮像のために構成される、請求項１〜４のいずれか１項に記載の医用イメージングシステム（１０）。
【請求項８】
前記第１のＸ線検出器（３１）は、前記第１のＸ線源（３０）と同時に前記検査開口（
９０）の周りを回転するように構成される、請求項７に記載の医用イメージングシステム（１０）。
【請求項９】
前記磁石ユニット（２０）は、前記検査開口（９０）の周りを回転するように構成される、請求項１〜８のうちの１つに記載の医用イメージングシステム（１０）。
【請求項１０】
前記磁石ユニット（２０）は勾配磁場コイルユニット（２２）を備え、前記勾配磁場コイルユニット（２２）の方向は、前記検査開口（９０）に対して相対的に固定され、前記主磁石（２１）は前記検査開口（９０）の周りを回転するように構成される、請求項１〜８のいずれか１項に記載の医用イメージングシステム（１０）。
【請求項１１】
前記第１の放射ユニット（３０）および前記主磁石（２１）は、前記検査開口（９０）の周りを同時に回転するように構成される、請求項９または１０に記載の医用イメージングシステム（１０）。
【請求項１２】
前記磁石ユニット（２０）は、熱伝導によって前記主磁石（２１）の前記コイル要素（２１．１）を冷却するように構成される、請求項１〜１１のうちの１つ記載の医用イメージングシステム（１０）
【請求項１３】
前記主磁石（２１）の前記コイル要素（２１．１）からの廃熱は、循環する冷却剤を含むパイプによって放散される、請求項１２に記載の医用イメージングシステム（１０）。
【請求項１４】
前記主磁石（２１）の前記コイル要素（２１．１）は、臨界温度がヘリウムの沸点よりも高い、超伝導材料で形成される、請求項１〜１３のいずれかに記載の医用イメージングシステム（１０）。
【請求項１５】
前記第２の放射ユニット（３３）をさらに含み、
前記磁石ユニット（２０）は、前記検査軸（９１）に対して半径方向に第２の放射ユニット（３３）によって放出される放射線（３５）に対して透過性である第２の領域を含み、
前記第２の放射ユニット（３３）は、前記磁石ユニット（２０）の前記検査開口（９０）とは反対側に配置され、
前記第２の放射ユニット（３３）は、前記検査開口（９０）の方向に前記磁石ユニット（２０）の前記第２の領域を介して前記放射線（３５）を放出するように構成され、
さらに、前記第２の放射ユニット（３３）は前記検査開口（９０）の周りを回転するように構成される、
請求項１〜１４のうちの１つに記載の医用イメージングシステム（１０）。
【請求項１６】
第２のＸ線検出器（３４）をさらに含み、
前記第２の放射ユニット（３３）は第２のＸ線源（３３）であり、
前記第２のＸ線検出器（３４）は、前記第２のＸ線源（３３）から離れて面する前記検査対象（８０）の側面に配置され、
前記第２のＸ線検出器（３４）は、前記第２のＸ線源（３３）と同時に前記検査開口（９０）の周りを回転するように構成され、
前記第２のＸ線源（３３）および前記第２のＸ線検出器（３４）は、前記検査対象（８０）のＸ線撮像のために構成される、
請求項１５に記載の医用イメージングシステム（１０）。
【請求項１７】
前記第１のＸ線源（３０）と前記第１のＸ線検出器（３１）との接続線と、前記第２のＸ線源（３３）と前記第２のＸ線検出器（３４）との接続線とが、６０°と１２０°との
間、または８０°と１００°との間、または８５°と９５°との間の角度を囲む、請求項７を引用する請求項１５を引用する請求項１６に記載の医用イメージングシステム（１０）。
【手続補正２】
【補正対象書類名】明細書
【補正対象項目名】０００１
【補正方法】変更
【補正の内容】
【０００１】
磁気共鳴イメージング（ＭＲＩ）は、特に高い軟組織コントラストを特徴とする画像化方法である。したがって、それは、特に、病変の診断および血管造影に使用することができる。
本出願に至った活動は、助成契約No EIT / EIT HEALTH / SGA2017 / 1の下で欧州イノベーション技術機構（the European Institute ofInnovation and Technology）から資金提供を受けています。この欧州機構は、欧州連合のHorizon 2020研究革新プログラムからの支援を受けています。
【国際調査報告】
2019535419.tif 000016
2019535419.tif 000017
2019535419.tif 000018
2019535419.tif 000019